(57)【特許請求の範囲】
【請求項１】
光ネットワークユニット（ＯＮＵ）に連結するよう構成され、前記ＯＮＵへのダウンストリーム伝送のための波長を指示するためにダウンストリーム波長識別を前記ＯＮＵに送信するように構成されている光回線終端装置（ＯＬＴ）コンポーネントを備え、
前記ダウンストリーム波長識別が埋め込みチャネルのための第１の媒体アクセス制御（ＭＡＣ）層フレームを使用して送信され、
前記ＯＬＴコンポーネントは、前記ＯＮＵによりアップストリーム伝送のために使用されている実際の波長を指示するアップストリーム波長フィードバックを前記ＯＮＵから受信するように更に構成され、
前記アップストリーム波長フィードバックは、第２のＭＡＣ層フレームを使用して送信され、
前記第１のＭＡＣ層フレームは、パッシブ光ネットワーク（ＰＯＮ）識別子（ＩＤ）フィールドを備える埋め込み保守運用管理（ＯＡＭ）チャネルのための１０ギガビットＰＯＮ（ＸＧＰＯＮ）ダウンストリーム物理層（ＰＨＹ）フレームであり、
前記ＰＯＮ  ＩＤフィールドは、前記ＯＮＵへの前記ダウンストリーム伝送のための前記波長を指示する波長識別子（ＩＤ）を含む、
パッシブ光ネットワーク（ＰＯＮ）の装置。
【請求項２】
前記ダウンストリーム波長識別は、前記ＯＮＵが決定されたダウンストリーム波長チャネルを割り当てられ、どのダウンストリーム波長チャネルが前記ＯＮＵに割り当てられたかを知る必要があるときに、送信され、
前記アップストリーム波長フィードバックは、前記ＯＬＴコンポーネントが前記ＯＮＵからのアップストリーム伝送を前記決定されたダウンストリーム波長チャネルと関連付けることを可能にするために送信される、
請求項１に記載の装置。
【請求項３】
パッシブ光ネットワーク（ＰＯＮ）のために光回線終端装置（ＯＬＴ）で実施される方法であって、
第１の埋め込みチャネルのための第１の媒体アクセス制御（ＭＡＣ）層フレームにおいて、光ネットネットワークユニット（ＯＮＵ）へのダウンストリーム伝送のための波長を指示する前記ＯＮＵのためのダウンストリーム波長識別を送信機を使用して送信することと、
第２の埋め込みチャネルのための第２の媒体アクセス制御（ＭＡＣ）層フレームにおいて、前記ＯＮＵによりアップストリーム伝送のために使用されている実際の波長を指示するアップストリーム波長フィードバックを受信機を使用して受信することと、
を備え、
前記第１のＭＡＣ層フレームは、ＰＯＮ識別子（ＩＤ）フィールドを備える埋め込み保守運用管理（ＯＡＭ）チャネルのための１０ギガビットＰＯＮ（ＸＧＰＯＮ）ダウンストリーム物理層（ＰＨＹ）フレームであり、
前記ＰＯＮ  ＩＤフィールドは、前記ＯＮＵへの前記ダウンストリーム伝送のための前記波長を指示する波長識別子（ＩＤ）を含む、方法。
【請求項４】
前記ダウンストリーム伝送のための前記波長は、前記ＯＮＵの受信機を構成するために前記第１のＭＡＣ層フレーム内で前記ＯＮＵに指示される、
請求項３に記載の方法。
【請求項５】
前記第１のＭＡＣ層フレームは、前記ダウンストリーム伝送のための前記波長に対する絶対値を使用して前記ダウンストリーム伝送のための前記波長を指示する、
請求項３又は４に記載の方法。
【請求項６】
前記第１のＭＡＣ層フレームは、予め決定された絶対ベンチマーク値に対する前記ダウンストリーム伝送のための前記波長の相対値を使用して前記ダウンストリーム伝送のための前記波長を指示する、
請求項３又は４に記載の方法。
【発明の詳細な説明】
【技術分野】
【０００１】
本発明は、通信ネットワークに関し、より詳しくは、多波長パッシブ光ネットワークにおける波長指示に関する。
【背景技術】
【０００２】
パッシブ光ネットワーク（ｐａｓｓｉｖｅ  ｏｐｔｉｃａｌ  ｎｅｔｗｏｒｋ、ＰＯＮ）は、「ラスト・マイル」を介してネットワークアクセスを提供する１つのシステムである。ＰＯＮは、中央局にある光回線終端装置（ｏｐｔｉｃａｌ  ｌｉｎｅ  ｔｅｒｍｉｎａｌ、ＯＬＴ）と、光分配ネットワーク（ｏｐｔｉｃａｌ  ｄｉｓｔｒｉｂｕｔｉｏｎ  ｎｅｔｗｏｒｋ、ＯＤＮ）と、加入者宅内にある複数台の光ネットワークユニット（ｏｐｔｉｃａｌ  ｎｅｔｗｏｒｋ  ｕｎｉｔ、ＯＮＵ）とで構成されているポイント・ツー・マルチ・ポイント・ネットワークである。ギガビットＰＯＮ（ＧＰＯＮ）システムなどの一部のＰＯＮシステムでは、ダウンストリームデータが毎秒約２．５ギガビット（Ｇｂｐｓ）でブロードキャストされ、アップストリームデータが約１．２５Ｇｂｐｓで伝送される。しかし、ＰＯＮシステムの帯域幅能力は、サービス需要の増大につれて増大することが期待される。増大したサービス需要を満たすために、次世代アクセス（Ｎｅｘｔ  Ｇｅｎｅｒａｔｉｏｎ  Ａｃｃｅｓｓ、ＮＧＡ）システムなどのある種の新生のＰＯＮシステムは、より広い帯域幅、たとえば、約１０Ｇｂｐｓでの信頼性および効率が改善された状態でデータフレームを転送するように再構成されている。
【発明の概要】
【０００３】
一実施形態では、本開示は、ＯＮＵに連結するよう構成され、かつ、ＯＮＵに対応する波長を指示するためにダウンストリーム波長識別をＯＮＵに送信するように構成されているＯＬＴコンポーネントを備え、ダウンストリーム波長識別が、埋め込みチャネル、制御メッセージチャネル、またはデータチャネルのための媒体アクセス制御（Ｍｅｄｉａ  Ａｃｃｅｓｓ  Ｃｏｎｔｒｏｌ、ＭＡＣ）層フレームを使用して送信される、ＰＯＮの装置を含む。
【０００４】
別の実施形態では、本開示は、ＯＬＴに連結するよう構成され、かつ、ＯＮＵに対応する波長を指示するためにアップストリーム波長フィードバックをＯＬＴに送信するように構成されているＯＮＵコンポーネントを備え、アップストリーム波長フィードバックが埋め込みチャネル、制御メッセージチャネル、またはデータチャネルのためのＭＡＣ層フレームを使用して送信される、ＰＯＮの装置を含む。
【０００５】
別の実施形態では、本開示は、ＰＯＮのためにＯＬＴで実施される方法であって、埋め込みチャネル、制御メッセージチャネル、またはデータチャネルのためのＭＡＣ層フレームにおいて、ＯＮＵのための波長を指示するＯＮＵのためのダウンストリーム波長識別を送信機を使用して送信することを備える、方法を含む。
【０００６】
さらに別の実施形態では、本開示は、ＰＯＮのためにＯＬＴで実施される方法であって、埋め込みチャネル、制御メッセージチャネル、またはデータチャネルのためのＭＡＣ層フレームにおいて、ＯＮＵのための波長を指示するＯＬＴのためのアップストリーム波長フィードバックを送信機を使用して送信することを備える、方法を含む。
【０００７】
これらの特徴および他の特徴は、添付図面および請求項と併せて以下の詳細な説明からより明瞭に理解されるであろう。
【図面の簡単な説明】
【０００８】
本開示のより完全な理解のため、次に、添付図面および詳細な説明と併せて、以下の簡単な説明を参照する。ここで、同様の符号が同様の部品を表す。
【０００９】
【図１】図１はＰＯＮの実施形態の概略図である。
【図２】図２はダウンストリーム波長識別のための埋め込みチャネルの一実施形態の概略図である。
【図３】図３はダウンストリーム波長識別のための埋め込みチャネルの別の実施形態の概略図である。
【図４】図４はダウンストリーム波長識別のための埋め込みチャネルの別の実施形態の概略図である。
【図５】図５はダウンストリーム波長識別のための制御メッセージチャネルの一実施形態の概略図である。
【図６】図６はダウンストリーム波長識別のための制御メッセージチャネルの別の実施形態の概略図である。
【図７】図７はダウンストリーム波長識別のための制御メッセージチャネルの別の実施形態の概略図である。
【図８】図８はダウンストリーム波長識別のための制御メッセージチャネルの別の実施形態の概略図である。
【図９】図９はダウンストリーム波長識別のための制御メッセージチャネルの別の実施形態の概略図である。
【図１０】図１０はアップストリーム波長フィードバックのための埋め込みチャネルの実施形態の概略図である。
【図１１】図１１はアップストリーム波長フィードバックのための埋め込みチャネルの別の実施形態の概略図である。
【図１２】図１２はアップストリーム波長フィードバックのための制御メッセージチャネルの一実施形態の概略図である。
【図１３】図１３はアップストリーム波長フィードバックのための制御メッセージチャネルの別の実施形態の概略図である。
【図１４】図１４はアップストリーム波長フィードバックのための制御メッセージチャネルの別の実施形態の概略図である。
【図１５】図１５は波長識別／フィードバック方法の一実施形態のフローチャートである。
【図１６】図１６は波長識別／フィードバック方法の別の実施形態のフローチャートである。
【図１７】図１７はＰＯＮ波長識別／フィードバック方法を実施するように構成されている装置の一実施形態の概略図である。
【図１８】図１８は汎用コンピュータシステムの一実施形態の概略図である。
【発明を実施するための形態】
【００１０】
１つ以上の実施形態の例示的実施が以下に提供されるが、開示されたシステムおよび／または方法は、現在までに既知であるか、または、存在しているかにかかわらず、いくつもの技術を使用して実施されてもよいことが最初に理解されるべきである。本開示は、本明細書に例示、記載された例示的な設計および実施を含めて、以下に例示される例示的実施、図面、および、技術に決して限定されるべきではないが、請求項の範囲内、および、請求項の均等物の全範囲内で修正されることがある。
【００１１】
より高いビットレートおよびより多くの波長（または波長チャネル）をサポートする複数のシステムが次世代ＰＯＮ（ｎｅｘｔ  ｇｅｎｅｒａｔｉｏｎ  ＰＯＮ、ＮＧＰＯＮ）アーキテクチャなどの次世代ＰＯＮのため提案されている。たとえば、多波長時間分割多重化（ＴＤＭ）ＰＯＮシステムは、約１０Ｇｐｂｓより高いレート（たとえば、約４０Ｇｂｐｓ）を達成するために、波長分割多重化（ＷＤＭ）技術を使用して複数のＧＰＯＮまたは１０個のＧＰＯＮ（１０  ＧＰＯＮｓ、ＸＧＰＯＮ）を一緒に積み重ねることがある（たとえば、約４個のＸＧＰＯＮ）。他のＷＤＭ−ＰＯＮシステムは、ダウンストリーム（ＰＯＮのＯＬＴからの）伝送およびアップストリーム（ＯＬＴに向かう）伝送の両方において様々な波長で様々なＯＮＵを接続することがある。さらに、一部のＰＯＮシステムは、直交周波数分割多重化（ＯＦＤＭ）−ＰＯＮおよびコヒーレントＷＤＭ（ＣＷＤＭ）−ＰＯＮなどの最新の符号化、変調、および／または信号処理技術に基づくことがある。他の例は、動的スペクトル管理ＰＯＮ（ＤＳＭ−ＰＯＮ）システムを含み、ここで、このシステム能力は、レガシーＧＰＯＮまたはＸＧＰＯＮ  ＯＮＵをサブグループ化するためにＯＬＴインテリジェンスを改善することにより増大される。
【００１２】
利用された技術に依存して、多波長ＴＤＭ  ＰＯＮは、低密度ＷＤＭ（ｃｏａｒｓｅ  ＷＤＭ、ＣＷＤＭ）−ＴＤＭ−ＰＯＮまたは高密度ＷＤＭ（ｄｅｎｓｅ  ＷＤＭ、ＤＷＤＭ）−ＴＤＭ−ＰＯＮに分類されることがある。さらに、ＷＤＭ−ＰＯＮは、スプリッタベースまたはアレイ導波路回折格子（ＡＷＧ）ベースでもよい。ＯＦＤＭ−ＰＯＮは、ＯＦＤＭ−ＴＤＭ−ＰＯＮ、ＯＦＤＭ−ＷＤＭ−ＰＯＮ、またはＯＦＤＭ−ＷＤＭ−ＴＤＭ−ＰＯＮに拡張されることもある。ＰＯＮのＯＮＵは、無色、波長同調性のない有色、完全な同調性のある有色、または、部分的な同調性のある有色でもよい。様々なタイプのＰＯＮおよびＯＮＵを使用する上記傾向は、たとえば、より離れた距離にあるより多数のＯＮＵ／ＯＮＴのために機能するＮＧＰＯＮシステムを取得するために、ＧＰＯＮおよびＸＧＰＯＮの帯域幅をさらに増強することがある。
【００１３】
上記傾向および増強は、ＧＰＯＮ、ＸＧＰＯＮ、イーサネットＰＯＮ（Ｅｔｈｅｒｎｅｔ  ＰＯＮ、ＥＰＯＮ）、および１０ギガビットＥＰＯＮ（１０  ｇｉｇａｂｉｔ  ＥＰＯＮ、１０ＧＥＰＯＮ）システムの既存プロトコルのため使用されることがあり、これらのシステムは、ＴＤＭ／ＴＤＭアクセス（ＴＤＭＡ）管理のため当初から設計されることがある。これらの傾向および増強を使用することから得られるシステムは、多波長能力を有し、様々な波長（または波長チャネル）を管理するために適切な管理機構を使用することがある。
【００１４】
本明細書に開示されているのは、ＰＯＮにおける多波長能力をサポートするシステムおよび方法である。これらのシステムおよび方法は、多波長ＰＯＮにおける波長指示を可能にすることがある。これらの方法は、ダウンストリーム波長識別およびアップストリーム波長フィードバックのための機構を備えることがある。ダウンストリーム波長識別は、ＰＯＮのＯＮＵが単一波長（または波長チャネル）を受信する場合に使用されることがあり、したがって、ＯＮＵは、どの波長が（ＰＯＮのＯＬＴにより）ＯＮＵに割り当てられたかを知る必要があることがある。対応するＯＮＵに割り当て済みの波長を識別することは、ＯＮＵが、関連付けられた波長チャネルを適正に受信するためにこのＯＮＵの受信機（またはフィルタ）を構成または揃えることを可能にすることがある。ＯＮＵは、割り当て済みのダウンストリーム波長毎に識別用プロトコル要素を受信することによりこの情報を取得することがある。波長指示は、ＭＡＣ層フレームまたはメッセージで送信されることがある。アップストリーム波長フィードバックは、ＯＬＴがＯＮＵからのアップストリーム伝送情報をＯＮＵが受信しているダウンストリーム波長と関連付ける必要がある場合に、必要とされることがある。したがって、ＯＬＴは、各ＯＮＵに対し、ダウンストリーム波長チャネルと、関連付けられたアップストリーム波長チャネルとを分離または区別できることがある。波長識別子（ｉｄｅｎｔｉｆｉｅｒ、ＩＤ）アップストリームをＯＬＴまでフィードバックすることにより、ＯＬＴは、この関連付けを行えることがある。波長識別の方法は、たとえば、ＧＰＯＮ、ＸＧＰＯＮ、ＥＰＯＮ、および１０ＧＥＰＯＮプロトコルのため、または、波長ラベリングをサポートすることがあるその他のＰＯＮプロトコルのため実施されることがある。
【００１５】
図１は、ＰＯＮ  １００の一実施形態を示す。ＰＯＮ  １００は、ＯＬＴ  １１０と、複数台のＯＮＵ  １２０と、ＯＤＮ  １３０とを備えることがあり、このＯＤＮ  １３０は、ＯＬＴ  １１０およびＯＮＵ  １２０に連結されることがある。ＰＯＮ  １００は、ＯＬＴ  １１０とＯＮＵ  １２０との間でデータを分散させるためにアクティブなコンポーネントを必要としない通信ネットワークでもよい。その代わり、ＰＯＮ  １００は、ＯＬＴ  １１０とＯＮＵ  １２０との間でデータを分散させるためにＯＤＮ  １３０内でパッシブ光コンポーネントを使用することがある。ＰＯＮ  １００は、約１０Ｇｂｐｓのダウンストリーム帯域幅と少なくとも約２．５Ｇｂｐｓのアップストリーム帯域幅とを有することがあるＸＧＰＯＮなどのＮＧＡシステムでもよい。適当なＰＯＮ  １００の他の例は、国際電気通信連合電気通信標準化部門（ＩＴＵ−Ｔ）Ｇ．９８３規格により規定された非同期転送モードＰＯＮ（ＡＰＯＮ）およびブロードバンドＰＯＮ（ＢＰＯＮ）と、ＩＴＵ−Ｔ  Ｇ．９８４規格により規定されたＧＰＯＮと、米国電気電子学会（ＩＥＥＥ）８０２．３ａｈ規格により規定されたＥＰＯＮと、ＩＥＥＥ  ８０２．３ａｖ規格に記載されるような１０ＧＥＰＯＮと、波長分割多重化ＷＤＭ−ＰＯＮとを含む。さらに、ＰＯＮ  １００は、多波長能力も有することがあり、複数のダウンストリームおよび／またはアップストリーム波長（または波長チャネル）が、たとえば、種々のＯＮＵ  １２０または加入者のため、データを搬送するために使用されることがある。その結果、ＰＯＮプロトコルは、前述の多波長技術／システムのいずれかをサポートするように構成されることがある。
【００１６】
ＯＬＴ  １１０は、ＯＮＵ  １２０および別のネットワーク（図示せず）と通信するように構成されているいずれの装置でもよい。ＯＬＴ  １１０は、別のネットワークとＯＮＵ  １２０との間の中間手段としての役割を果たすことがある。たとえば、ＯＬＴ  １１０は、ネットワークから受信されたデータをＯＮＵ  １２０へ転送し、ＯＮＵ  １２０から受信されたデータをその別のネットワークへ転送することがある。ＯＬＴ  １１０の具体的な構成は、ＰＯＮ  １００のタイプに依存して変化することがあるが、一実施形態では、ＯＬＴ  １１０は、送信機と受信機とを備えることがある。その別のネットワークが、ＰＯＮ  １００で使用されるＰＯＮプロトコルと異なるイーサネットまたは同期光ネットワーキング（ＳＯＮＥＴ）／同期デジタルハイアラーキ（ＳＤＨ）などの、ネットワークプロトコルを使用しているとき、ＯＬＴ  １１０は、ネットワークプロトコルをＰＯＮプロトコルに変換するコンバータを備えることがある。ＯＬＴ  １１０のコンバータは、ＰＯＮプロトコルをネットワークプロトコルにさらに変換することがある。ＯＬＴ  １１０は、一般に、中央局などの中央のロケーションに位置していることがあるが、その他のロケーションに位置していることもある。
【００１７】
ＯＮＵ  １２０は、ＯＬＴ  １１０および加入者またはユーザ（図示せず）と通信するように構成されているどのような装置でもよい。ＯＮＵ  １２０は、ＯＬＴ  １１０と加入者との間で中間手段としての機能を果たすことがある。たとえば、ＯＮＵ  １２０は、ＯＬＴ  １１０から受信されたデータを加入者へ転送し、加入者から受信されたデータをＯＬＴ  １１０へ転送することがある。ＯＮＵ  １２０の具体的な構成は、ＰＯＮ  １００のタイプに依存して変化することがあるが、一実施形態では、ＯＮＵ  １２０は、光信号をＯＬＴ  １１０に送信するように構成されている光送信機と、ＯＬＴ  １１０から光信号を受信するように構成されている光受信機とを備えることがある。異なるＯＮＵ  １２０にある送信機および受信機は、データを搬送する光信号を送受信するために異なる波長を使用することがある。同じＯＮＵ  １２０にある送信機および受信機は、同じ波長または異なる波長を使用することがある。付加的に、ＯＮＵ  １２０は、加入者のため光信号をイーサネットプロトコル中の信号などの電気信号に変換するコンバータと、電気信号を加入者装置に送信および／または受信することがある第２の送信機および／または受信機とを備えることがある。一部の実施形態では、ＯＮＵ  １２０と光ネットワーク端末装置（ＯＮＴ）は類似しているので、これらの用語は、本明細書において区別しないで使われる。ＯＮＵは、典型的に、加入者宅内などの分散したロケーションに位置していることがあるが、他のロケーションに位置していることもある。
【００１８】
ＯＤＮ  １３０は、光ファイバケーブル、カップラ、スプリッタ、分配器および／またはその他の機器を備えることがあるデータ分散システムでもよい。光ファイバケーブル、カップラ、スプリッタ、分配器、および／またはその他の機器は、ＯＬＴ  １１０とＯＮＵ  １２０との間でデータ信号を分散させるために電力を必要とすることがないパッシブ光コンポーネントでもよい。代替的に、ＯＤＮ  １３０は、光増幅器などの１台または複数台の処理機器を備えることがある。ＯＤＮ  １３０は、典型的に、図１に示されるように分枝構成でＯＬＴ  １１０からＯＮＵ  １２０まで延びることがあるが、代替的にその他のポイント・ツー・マルチ・ポイント構成で構成されることがある。
【００１９】
多波長能力をサポートするために、ＰＯＮ  １００は、たとえば、ＯＤＮ  １３０および／またはＯＬＴ  １１０にある１台以上のＡＷＧを備えることがある。ＡＷＧは、アップストリーム／ダウンストリーム方向に異なる波長で送信される光信号でもよい、複数の波長チャネルを合成／分割するように構成されることがある。ＰＯＮ  １００は、どの波長（または波長チャネル）が対応するＯＮＵ  １２０に割り当たられたかをＯＮＵ  １２０および／またはＯＬＴ  １１０に指示するために波長識別のための１つ以上の方法を実施するように構成されることもある。波長識別方法は、波長をＯＮＵ  １２０に、ＯＬＴ  １１０に、または両方に指示するために使用されることがある。波長識別方法は、（ＯＬＴ  １１０からＯＮＵ  １２０への）ダウンストリーム・データ・チャネル、（ＯＮＵ  １２０からＯＬＴ  １１０への）アップストリーム・データ・チャネル、または両方のための波長を識別するために使用されることがある。波長識別方法は、後述されるダウンストリーム波長識別機構およびアップストリーム波長フィードバック機構を備えることがある。
【００２０】
ダウンストリーム波長識別は、ＯＮＵへのダウンストリーム伝送のための波長を識別するために使用されることがある。ダウンストリーム波長識別は、（たとえば、ＯＬＴ  １１０から対応するＯＮＵ  １２０への）ダウンストリーム波長識別を送信するために使用されることがある様々な機構または実施を使用して確立されることがある。様々な機構は、波長識別を搬送するためにＭＡＣ層フレームまたはメッセージを使用することがある。ダウンストリーム波長識別のための第１の機構は、埋め込みチャネルを使用することがある。埋め込みチャネル機構またはアプローチは、低レベルの保守運用管理（ｏｐｅｒａｔｉｏｎｓ，  ａｄｍｉｎｉｓｔｒａｔｉｏｎ，  ａｎｄ  ｍａｎａｇｅｍｅｎｔ、ＯＡＭ）情報を搬送するために帯域内フレームフィールドおよび埋め込み構造を使用することがある。埋め込みチャネルは、典型的に、高速動作のための低遅延パスを提供し、ＭＡＣ装置のための基本機能を可能にすることがある。埋め込みチャネルの例は、ＧＰＯＮおよびＸＧＰＯＮプロトコルにおける埋め込みＯＡＭと、ＥＰＯＮおよび１０ＧＥＰＯＮプロトコルにおける論理リンク識別子（ｌｏｇｉｃａｌ  ｌｉｎｋ  ｉｄｅｎｔｉｆｉｅｒ、ＬＬＩＤ）とを含む。
【００２１】
ダウンストリーム波長識別のための第２の機構は、制御メッセージチャネルを使用することがある。制御メッセージチャネルは、ＯＬＴとＯＮＵとの間の接続を実現しやすくするためにプロトコル管理メッセージを利用することがある。制御メッセージチャネルの例は、ＧＰＯＮおよびＸＧＰＯＮプロトコルにおける物理層ＯＡＭ（ｐｈｙｓｉｃａｌ  ｌａｙｅｒ  ＯＡＭ、ＰＬＯＡＭ）メッセージと、ＥＰＯＮおよび１０ＧＥＰＯＮプロトコルにおけるマルチ・ポイント制御プロトコル（ｍｕｌｔｉ−ｐｏｉｎｔ  ｃｏｎｔｒｏｌ  ｐｒｏｔｏｃｏｌ、ＭＰＣＰ）メッセージとを含む。ダウンストリーム波長識別のための第３の機構は、データチャネルを使用することがある。具体的には、波長情報は、ＯＮＵへのＰＯＮデータチャネルで搬送されることがある。ＧＰＯＮおよびＸＧＰＯＮプロトコルでは、ＧＰＯＮカプセル化方法（ｅｎｃａｐｓｕｌａｔｉｏｎ  ｍｅｔｈｏｄ、ＧＥＭ）または１０ＧＥＭ（ＸＧＥＭ）ポートは、この目的のためＯＮＴ管理制御インターフェース（ＯＮＴ  ｍａｎａｇｅｍｅｎｔ  ａｎｄ  ｃｏｎｔｒｏｌ  ｉｎｔｅｒｆａｃｅ、ＯＭＣＩ）により構成されることがある。ＥＰＯＮおよび１０ＧＥＰＯＮプロトコルでは、ＬＬＩＤは、このような目的で設計されることがある。
【００２２】
図２は、ダウンストリーム波長識別のため使用されることがある埋め込みチャネルに対応するフレームまたはメッセージ２００の一部分の一実施形態を示す。埋め込みチャネルは、ＧＰＯＮプロトコルのための埋め込みＯＡＭチャネルでもよく、ＧＰＯＮダウンストリームフレームの一部分を使用してもよい。ＧＰＯＮ埋め込みＯＡＭチャネル情報は、ダウンストリーム波長識別のためにＯＬＴから対応するＯＮＵに送信されることがある。ＯＬＴは、ダウンストリーム伝送のための割り当て済みの波長をＯＮＵに指示するためにＧＰＯＮダウンストリームフレームを使用することがある。ダウンストリーム波長識別は、Ｐａｙｌｏａｄ  Ｌｅｎｇｔｈ  ｄｏｗｎｓｔｒｅａｍ（Ｐｌｅｎｄ）フィールド２１０を備えるＧＰＯＮダウンストリームフレームで送信されることがある。Ｐｌｅｎｄフィールド２１０は、Ｂ  ｌｅｎｇｔｈ（Ｂｌｅｎ）サブフィールド２１２と、Ａ  ｌｅｎｇｔｈ（Ａｌｅｎ）サブフィールド２１４と、巡回冗長検査（ＣＲＣ）サブフィールド２１６とを含むことがある。Ｐｌｅｎｄフィールド２１０は、全体で約３２ビットのサイズを有していることがある。Ｂｌｅｎサブフィールド２１２は、メッセージまたはフレーム内の別のフィールド（図示せず）の長さ（バイト単位）を指示することがある。Ｂｌｅｎサブフィールド２１２は、約１２ビットのサイズを有していることがある。Ａｌｅｎサブフィールド２１４は、ダウンストリーム波長を指示することがある。Ａｌｅｎサブフィールド２１４は、約１２ビットのサイズを有していることがある。ＣＲＣサブフィールド２１６は、約８ビットのサイズを有していることがあり、ＧＰＯＮプロトコルに規定されるように構成されることがある。
【００２３】
図３は、ダウンストリーム波長識別のため使用されることがある埋め込みチャネル３００に対応する別のフレームまたはメッセージ部３００の一実施形態を示す。埋め込みチャネルは、ＸＧＰＯＮプロトコルのための埋め込みＯＡＭチャネルでもよく、ＸＧＰＯＮダウンストリーム物理層（Ｐｈｙｓｉｃａｌ  ｌａｙｅｒ、ＰＨＹ）フレームの一部分を使用することがある。ＸＧＰＯＮダウンストリームＰＨＹフレームは、２４バイトの物理同期ブロック（ｐｈｙｓｉｃａｌ  ｓｙｎｃｈｒｏｎｉｚａｔｉｏｎ  ｂｌｏｃｋ、ＰＳＢｄ）および１５５４９６バイトのＰＨＹフレームペイロードを備えることがある。ＰＳＢｄは、（ＯＬＴから対応するＯＮＵへの）ダウンストリーム波長を指示するために使用されることがあるＰＯＮ−ＩＤ構造体３１０を備えることがある。ＰＯＮ−ＩＤ構造体３１０は、約６４ビットのサイズを有していることがある。ＰＯＮ−ＩＤ構造体３１０は、ＰＯＮ−ＩＤフィールド３２０とヘッダ誤り制御（ｈｅａｄｅｒ  ｅｒｒｏｒ  ｃｏｎｔｒｏｌ、ＨＥＣ）フィールド３３０とを備えることがある。ＰＯＮ−ＩＤフィールド３２０は、割り当て済みのＰＯＮ−ＩＤサブフィールド３２２と、波長ＩＤサブフィールド３２４とを備えることがある。ＰＯＮ−ＩＤサブフィールド３２２は、対応するＯＮＵに対するＰＯＮ  ＩＤを指示することがあり、波長ＩＤサブフィールド３２４は、このＯＮＵに対するダウンストリーム波長を指示することがある。ＰＯＮ−ＩＤフィールド３２０は、約５１ビットのサイズを有していることがあり、割り当て済みのＰＯＮ−ＩＤサブフィールド３２２は、ｘが整数であるとして、約５１−ｘビットのサイズを有していることがあり、波長ＩＤサブフィールド３２４は、約ｘビットのサイズを有していることがある。ＨＥＣフィールド３３０は、約１３ビットのサイズを有していることがあり、ＸＧＰＯＮプロトコルに規定されているように構成されることがある。整数ｘは、多波長ＰＯＮシステム内のダウンストリーム波長の個数に基づいて決定されることがある。ｘの典型的な値は、１６、３２、または６４個の全ダウンストリーム波長をそれぞれ表現するために４、５、または６に等しいことがある。割り当て済みのＰＯＮ−ＩＤサブフィールド３２２および波長ＩＤサブフィールド３２４の実際の順序は、図３に示された順序と同様でも異なってもよい。
【００２４】
ＧＰＯＮおよびＸＧＰＯＮのダウンストリームフレームは、例えば約１２５マイクロ秒（μｓ）の存続期間または持続時間でＯＬＴから複数または全部のＯＮＵにブロードキャストされることがあるので、波長ＩＤは、同じダウンストリーム波長に対して周期的にＯＮＵに知らされることがある。ＯＮＵは、波長ＩＤと対応するＯＮＵの受信機波長とを比較することによりダウンストリーム波長を確認するように構成されることがある。
【００２５】
図４は、ダウンストリーム波長識別のための別の埋め込みチャネル４００の一実施形態を示す。埋め込みチャネル４００は、ＥＰＯＮまたは１０ＧＥＰＯＮプロトコルに対する埋め込みＬＬＩＤチャネルでもよく、ＥＰＯＮダウンストリームフレームの一部分を使用することがある。ＥＰＯＮおよび１０ＧＥＰＯＮでは、ＬＬＩＤは、ＯＬＴと複数台のＯＮＵとの間のポイント・ツー・マルチ・ポイント（Ｐ２ＭＰ）関連性に割り当てられることがあり、ここで、各ＯＮＵ関連性は、ポイント・ツー・ポイント（Ｐ２Ｐ）エミュレーションを通じて確立されることがある。ＥＰＯＮダウンストリームフレームは、ＬＬＩＤフィールド４１０を備えることがある。ＬＬＩＤフィールド４１０は、モードサブフィールド４１２と、割り当て済みのＬＬＩＤサブフィールド４１４と、波長ＩＤサブフィールド４１６とを備えることがある。ＬＬＩＤフィールド４１０は、約１６ビットのサイズを有していることがある。モードサブフィールド４１２は、割り当て済みのＬＬＩＤを指示するためにセットされる１ビットフラグでもよい。モードサブフィールド４１２は、ＬＬＩＤフィールド４１０内の最上位ビット（ｔｈｅ  ｍｏｓｔ  ｓｉｇｎｉｆｉｃａｎｔ  ｂｉｔ、ＭＳＢ）に対応することがある。割り当て済みのＬＬＩＤサブフィールド４１４は、対応するＯＮＵのため割り当てられたＬＬＩＤを指示することがある。割り当て済みのＬＬＩＤサブフィールド４１４は、ｙが整数であるとして、約１５−ｙビットのサイズを有していることがある。波長ＩＤサブフィールド４１６は、ＯＮＵに対するダウンストリーム波長を指示することがある。波長ＩＤサブフィールド４１６は、約ｙビットのサイズを有していることがある。波長ＩＤサブフィールド４１６の実際の順序は、図４に示された順序と同様でも異なってもよい。
【００２６】
ダウンストリーム波長識別のための制御メッセージチャネル機構またはアプローチでは、ＰＬＯＡＭチャネルメッセージは、ＧＰＯＮおよびＸＧＰＯＮプロトコルで使用されることがある。ダウンストリーム波長識別は、後述されるように、新しいＰＬＯＡＭメッセージまたは修正されたＰＬＯＡＭメッセージを使用して実施されることがある。図５は、ダウンストリーム波長識別のための制御メッセージチャネル５００の一実施形態を示す。制御メッセージチャネル５００は、ＧＰＯＮプロトコルのために修正されたアップストリーム・オーバーヘッドＰＬＯＡＭメッセージを使用することがある。修正されたアップストリーム・オーバーヘッドＰＬＯＡＭメッセージは、約１２フィールドを備えることがあり、これらのフィールドは、それぞれが約１オクテットのサイズを有していることがある。図５に表されたアップストリーム・オーバーヘッドＰＬＯＡＭメッセージのフィールドは、ＧＰＯＮプロトコルに規定されるように構成されることがある。しかし、フィールドまたはビットの一部は、ダウンストリーム波長識別を可能にするために修正されることがある。具体的には、オクテット３から５内のビットは、対応するフィールド内のビット数（保護ビット数、タイプ１プリアンブルビット数、およびタイプ２プリアンブルビット数）を表現するために完全に使用されることはない。対応するオクテット（またはフィールド）内のこのようなビットは、ダウンストリーム波長識別のため使用されることがある。付加的に、（様々な指示のための）オクテット１０内のビットのうちの一部は、ダウンストリーム波長識別のためさらに使用されることがある。この目的のため少なくとも部分的に使用されることがあるオクテットは、図５において陰影を付けられている。
【００２７】
図６は、ダウンストリーム波長識別のための別の制御メッセージチャネル６００の一実施形態を示す。制御メッセージチャネル６００は、ＸＧＰＯＮプロトコルのための修正されたアップストリームプロファイルＰＬＯＡＭメッセージを使用することがある。修正されたプロファイルＰＬＯＡＭメッセージは、約１３フィールドを備えることがあり、これらのフィールドは、全体で約４８オクテットのサイズを有していることがある。図６に示されたフィールドおよび対応するサイズは、ＸＧＰＯＮプロトコルに規定されるように構成されることがある。しかし、フィールドのうちの一部は、ダウンストリーム波長識別を可能にするために修正される。具体的には、オクテット５から７、１６から１７、および３４から４４内のビットは、対応するフィールドにおいて完全には使用されないことがある。（プロファイルバージョンおよびインデックスと、前方誤り訂正（ＦＥＣ）指示と、デリミッタ長とに対する）オクテット５から７内のビットのうちの少なくとも一部、（プリアンブル長さおよびプリアンブル繰り返し回数に対する）オクテット１６から１７内のビットのうちの一部、および／または（パディングに対する）オクテット３４から４０内のビットのうちの一部がダウンストリーム波長識別のため使用されることがある。この目的のため少なくとも部分的に使用されることがあるオクテットは、図６において陰影を付けられている。
【００２８】
図７は、ダウンストリーム波長識別のための別の制御メッセージチャネル７００の一実施形態を示す。制御メッセージチャネル７００は、ＸＧＰＯＮおよびＧＰＯＮプロトコルのための新しいＰＬＯＡＭメッセージでもよい。新しいＰＬＯＡＭメッセージは、約６フィールドを備えることがあり、これらのフィールドは、全体で約４８オクテットのサイズを有していることがある。フィールドおよび対応するサイズは、図７に表されている。具体的には、ダウンストリーム波長フィールドは、ダウンストリーム波長を指示するために使用されることがある。ダウンストリーム波長フィールドは、オクテット５から「ａ」を使用することがあり、ここで、「ａ」は整数である。
【００２９】
図８は、ダウンストリーム波長識別のための別の制御メッセージチャネル８００の一実施形態を示す。制御メッセージチャネル８００は、ＥＰＯＮおよび１０ＧＥＰＯＮプロトコルのための修正されたゲートＭＰＣＰデータユニット（ｍｏｄｉｆｉｅｄ  ｇａｔｅ  ＭＰＣＰ  ｄａｔａ  ｕｎｉｔ、ＭＰＣＰＤＵ）を使用することがある。ＭＰＣＰＤＵは、マルチ・ポイントＭＡＣ制御情報を搬送するイーサネットフレームである。修正されたゲートＭＰＣＰＤＵは、約８フィールドを備えることがあり、これらのフィールドは、全体で約６４オクテットのサイズを有していることがある。図８に表されたフィールドおよび対応するサイズは、ＥＰＯＮおよび１０ＧＥＰＯＮプロトコルに規定されるように構成されることがある。しかし、フィールドのうちの一部は、ダウンストリーム波長識別を可能にするために修正される。具体的には、オクテット２２から６０内のビットは、（グラント（ｇｒａｎｔ）およびパッド（ｐａｄ）のために）完全には使用されないことがある。オクテット２２から６６内のビットのうちの一部は、ダウンストリーム波長識別のため使用されることがある。この目的のため少なくとも部分的に使用されることがあるオクテットは、図８において陰影を付けられている。
【００３０】
図９は、ダウンストリーム波長識別のための別の制御メッセージチャネル９００の一実施形態を示す。制御メッセージチャネル９００は、ＥＰＯＮおよび１０ＧＥＰＯＮのための新しいＭＰＣＰＤＵでもよい。新しいＭＰＣＰＤＵは、約８フィールドを備えることがあり、これらのフィールドは、全体で約６４オクテットのサイズを有していることがある。フィールドおよび対応するサイズは、図９に表されている。具体的には、ダウンストリーム波長フィールドは、ダウンストリーム波長を指示するために使用されることがある。ダウンストリーム波長フィールドは、オクテット２１から「ｂ」オクテットを使用することがあり、ここで、「ｂ」は整数である。
【００３１】
ダウンストリーム波長識別のためのデータチャネル機構またはアプローチでは、ユーザ・データ・チャネル（データメッセージ）は、ＧＰＯＮおよびＸＧＰＯＮプロトコルでダウンストリーム波長情報を配信するように構成されることがある。マルチキャストサービスを提供することと同様に、ＯＭＣＩは、この情報を送信するためにＧＥＭまたはＸＧＥＭポートを構成するように使用されることがある。ＥＰＯＮおよび１０ＧＥＰＯＮプロトコルでは、ブロードキャストＬＬＩＤがこの目的のため規定されることがある。ブロードキャストＬＬＩＤを備えるフレームは、ダウンストリーム波長識別のための内容をさらに含むことがある。
【００３２】
図１０は、アップストリーム波長フィードバックのための埋め込みチャネル１０００の一実施形態を示す。埋め込みチャネル１０００は、ＧＰＯＮプロトコルのための埋め込みＯＡＭチャネルでもよく、ＧＰＯＮアップストリーム・バースト・ヘッダを使用することがある。このＧＰＯＮ埋め込みＯＡＭチャネル情報は、アップストリーム波長フィードバックのためＯＮＵからＯＬＴに送信されることがある。ＯＮＵは、アップストリーム伝送情報またはＯＮＵの受信機のための波長をＯＬＴに指示するためにＧＰＯＮアップストリーム・バースト・ヘッダを使用することがある。アップストリーム波長フィードバックは、指示Ｉｎｄｉｃａｔｉｏｎ（Ｉｎｄ）フィールド１０１０を備えるＧＰＯＮアップストリーム・バースト・ヘッダで送信されることがある。Ｉｎｄフィールド１０１０は、緊急ＰＬＯＡＭユニットサブフィールド１０１２と、ＦＥＣサブフィールド１０１４と、リモート障害表示Ｒｅｍｏｔｅ  ｄｅｆｅｃｔ  ｉｎｄｉｃａｔｉｏｎ（ＲＤＩ）サブフィールド１０１６と、波長ＩＤサブフィールド１０１８と、予約済みサブフィールド１０２０とを含むことがある。サブフィールドは、ＧＰＯＮプロトコルで規定されるように構成されることがあり、ここで、ＭＳＢは、緊急ＰＬＯＡＭを報告し、次の２ビットは、ＦＥＣおよびＲＤＩ状態をそれぞれ報告する。しかし、現在の予約済み５ビットのうちの約ｚビットがアップストリーム波長を指示するために使用されることがあり、ここで、ｚは整数である。残りの５−ｚビットは、予約済みのままでもよい。波長ＩＤサブフィールド１０１８の実際の順序は、図１０に表された順序と同様でも異なってもよい。ＧＰＯＮアップストリーム・バースト・ヘッダにおいて波長ＩＤを使用すると、ＯＬＴは、プロトコル層においてＯＮＵの波長を確認または検査できることがある。
【００３３】
図１１は、アップストリーム波長フィードバックのための別の埋め込みチャネル１１００の一実施形態を示す。埋め込みチャネル１１００は、ＸＧＰＯＮプロトコルのための埋め込みＯＡＭチャネルでもよく、ＸＧＰＯＮ  Ｔｒａｎｓｍｉｓｓｉｏｎ  Ｃｏｎｔａｉｎｅｒ（ＸＧＴＣ）バースト・ヘッダを使用することがある。ＸＧＰＯＮ埋め込みＯＡＭチャネル情報は、アップストリーム波長フィードバックのためＯＮＵからＯＬＴに送信されることがある。ＯＮＵは、アップストリーム伝送のための波長をＯＬＴに指示するためにＸＧＴＣバースト・ヘッダを使用することがある。アップストリーム波長フィードバックは、ＯＮＵ−ＩＤフィールド１１２０と、Ｉｎｄフィールド１１３０と、ＨＥＣフィールド１１４０と、ＰＬＯＡＭユニットフィールド１１５０とを備えるＸＧＴＣバースト・ヘッダ１１１０で送信されることがあり、これらのフィールドは、ＸＧＰＯＮプロトコルで規定されるように構成されることがある。ＯＮＵ−ＩＤフィールド１１２０は、約１０ビットのサイズを有していることがある。Ｉｎｄフィールド１１３０は、約９ビットのサイズを有していることがある。ＨＥＣフィールド１１４０は、約１３ビットのサイズを有していることがある。ＰＬＯＡＭユニットフィールド１１５０は、随意選択的であり、約３８４ビットまでのサイズを有していることがある。ＯＮＵ−ＩＤフィールド１１２０は、ＭＳＢ（１ビットフラグ）でもよいＰＬＯＡＭキュー状態サブフィールド１１２２と、予約済みサブフィールド１１２４と、波長ＩＤサブフィールド１１２６と、最下位ビット（ＬＳＢ）でもよいダイイング・ギャスプ（ｄｙｉｎｇ  ｇａｓｐ）・サブフィールド１１２８とを備える。現在予約済みの７ビットからの約ｎビットがアップストリーム波長を指示するために使用されることがあり、ここで、ｎは整数である。残りの７−ｎビットは、予約済みのままでもよい。整数ｎは、多波長ＰＯＮシステムにおける波長の個数に基づいて決定されることがある。典型的なｎの値は、１６、３２、または６４の全波長をそれぞれ表現するために４、５、または６でもよい。波長ＩＤサブフィールド１１２６の実際の順序は、図１０に示された順序と同様でも異なってもよい。
【００３４】
別の実施形態では、アップストリーム波長フィードバックは、異なるダウンストリーム波長に対し異なるデリミッタを定義することにより達成されることがある。このようにして、同じダウンストリーム波長を共有する複数のＯＮＵは、同じタイプのデリミッタを使用することがある。たとえば、デリミッタタイプ１は、ダウンストリーム波長１のために使われ、デリミッタタイプ２は、ダウンストリーム波長２のために使われることがある。したがって、アップストリーム・バースト・デリミッタは、対応するＯＮＵの使用ダウンストリーム波長をＯＬＴに指示することがある。ＥＰＯＮおよび１０ＧＥＰＯＮに対する一部の実施形態では、２バイトＬＬＩＤは、アップストリーム波長フィードバックをサポートするために図４に示されるように修正されることがある。結果的に、一部のビットがフィードバックを搬送するために割り当てられることがある。この情報を受信した後、ＯＬＴは、ＯＮＵに対するダウンストリーム波長とアップストリーム波長とを相互に関連付けることができることがある。
【００３５】
図１２は、アップストリーム波長フィードバックのための制御メッセージチャネル１２００の実施形態を示す。制御メッセージチャネル１００は、ＸＧＰＯＮおよびＧＰＯＮプロトコルのための新しいＰＬＯＡＭメッセージでもよい。新しいＰＬＯＡＭメッセージは、約６フィールドを備えることがあり、これらのフィールドは、全体で約４８オクテットのサイズを有していることがある。フィールドおよび対応するサイズは、図１２に表されている。具体的には、波長フィールドは、アップストリーム波長フィードバックを指示するために使用されることがある。波長フィールドは、オクテット５から「ａ」を使用することがあり、ここで、「ａ」は整数である。
【００３６】
ＧＰＯＮおよびＸＧＰＯＮのそれぞれに対する修正されたＰＬＯＡＭメッセージを使用するダウンストリーム波長識別のための制御メッセージチャネル５００および６００と同様に、修正されたＰＬＯＡＭメッセージを使用する制御メッセージチャネルは、ＧＰＯＮおよびＸＧＰＯＮプロトコルに対するアップストリーム波長フィードバックのため使用されることもある。たとえば、ＧＰＯＮプロトコルでは、肯定応答ａｃｋｎｏｗｌｅｄｇｅ  ＰＬＯＡＭメッセージ、または、Ｎｏ  ＰＬＯＡＭメッセージが修正されることがある。ＰＬＯＡＭメッセージ内のＳｅｒｉａｌ＿Ｎｕｍｂｅｒ＿ＯＮＵフィールドがアップストリーム波長フィードバックを搬送するために修正されることがある。同様に、ＸＧＰＯＮプロトコルでは、ａｃｋｎｏｗｌｅｄｇｅ  ＰＬＯＡＭメッセージおよびこのメッセージ内のＳｅｒｉａｌ＿Ｎｕｍｂｅｒ＿ＯＮＵ  ＰＬＯＡＭフィールドが波長フィードバックを搬送するために修正されることがある。
【００３７】
図１３は、アップストリーム波長フィードバックのための別の制御メッセージチャネル１３００の一実施形態を示す。制御メッセージチャネル１３００は、ＥＰＯＮおよび１０ＧＥＰＯＮプロトコルのための修正されたレポートＭＰＣＰＤＵを使用することがある。修正されたレポートＭＰＣＰＤＵは、約８フィールドを備えることがあり、これらのフィールドは、全体で約６４オクテットのサイズを有していることがある。図１３に表されたフィールドおよび対応するサイズは、ＥＰＯＮおよび１０ＧＥＰＯＮプロトコルに規定されるように構成されることがある。しかし、フィールドのうちの一部は、アップストリーム波長フィードバックを可能にするために修正される。具体的には、オクテット２３から６０内のビットは、（レポートおよびパッドのため）完全には使用されないことがある。オクテット２３から６０内のビットのうちの一部は、アップストリーム波長フィードバックのため使用されることがある。この目的のため少なくとも部分的に使用されることがあるオクテットは、図１３において陰影を付けられている。
【００３８】
図１４は、アップストリーム波長フィードバックのための別の制御メッセージチャネル１４００の一実施形態を示す。制御メッセージチャネル１４００は、ＥＰＯＮおよび１０ＧＥＰＯＮのための新しいＭＰＣＰＤＵでもよい。新しいＭＰＣＰＤＵは、約８フィールドを備えることがあり、これらのフィールドは、全体で約６４オクテットのサイズを有していることがある。フィールドおよび対応するサイズは、図１４に表されている。具体的には、波長フィールドは、波長フィードバックを指示するために使用されることがある。波長フィールドは、オクテット２１から「ｂ」オクテットを使用することがあり、ここで、「ｂ」は整数である。
【００３９】
アップストリーム波長フィードバックのためのデータ・チャネル・アプローチでは、ユーザ・データ・チャネル（データメッセージ）は、ＧＰＯＮおよびＸＧＰＯＮプロトコルにおいて波長フィードバックを配信するように構成されることがある。ＧＥＭまたはＸＧＥＭポートは、この目的のためＯＭＣＩにより構成されることがある。ＥＰＯＮおよび１０ＧＥＰＯＮプロトコルでは、専用または特殊ＬＬＩＤがこの目的のために定義されることがある。専用ＬＬＩＤを備えるフレームは、波長フィードバックのための内容をさらに含むことがある。
【００４０】
他の実施形態では、アップストリーム波長フィードバックは、アップストリーム伝送のため使用されている実際の波長（波長ＩＤまたはチャネルＩＤではなく）を指示することがある。ＯＬＴ機器は、典型的に、ＯＮＵからの伝送がどの受信機チャネルに到達したかに基づいてこの情報が分かることがある。しかし、ＯＮＵからの実際の波長情報は、二重チェックとして使用されることがある。ＯＬＴとこれの関連付けられたＯＮＵとの間で交換される波長情報は、絶対値、相対値、または識別値（たとえば、ＩＤ）でもよい。相対値は、前の交換値または予め決定された絶対ベンチマーク値に関連することがある。識別値をサポートするために、ある特定の波長プロファイリングの機構が使用されることがある。様々なスキームが波長と波長ＩＤとの間の具体的なマッピングを定義するために使用されることがある。たとえば、あるＰＬＯＡＭメッセージ（たとえば、プロファイルＰＬＡＯＭメッセージ）は、このような情報を搬送するために拡張されることがある。代替的に、新しい制御メッセージがこの目的のため定義されてもよい。
【００４１】
図１５は、ＯＬＴと対応するＯＮＵとの間で波長情報を交換するために多波長ＰＯＮシステムで実施されることがある波長識別／フィードバック方法１５００の一実施形態を示す。この方法１５００は、ダウンストリーム波長識別情報が送信されることがあるブロック１５１０から始まることがある。ＯＬＴは、たとえば、ＰＯＮプロトコルに基づいて、前述のダウンストリーム波長表示のための機構またはアプローチのうちのいずれか、および適切な対応するメッセージを使用して、ダウンストリーム波長識別を対応するＯＮＵに送信することがある。これらのアプローチは、埋め込みチャネル２００、３００、および４００と、制御メッセージチャネル５００、６００、７００、８００と、ダウンストリーム識別表示のためのデータチャネルとを含む。したがって、ＯＬＴは、対応するＯＮＵに対する波長を識別することがある。識別された波長は、データをこのＯＬＴに送信するために使用された波長でもよい。ブロック１５２０で、アップストリーム波長フィードバックが受信されることがある。ＯＬＴは、たとえば、同じＰＯＮプロトコルに基づいて、ダウンストリーム波長識別を送信するため使用されたものと類似または対応しているアプローチ、チャネル、またはメッセージを使用して、対応するＯＮＵからアップストリーム波長フィードバックを受信することがある。これらのアプローチは、埋め込みチャネル１０００および１１００と、制御メッセージチャネル１２００、１３００、および１４００と、アップストリーム波長フィードバックのためのデータチャネルとを含む。したがって、ＯＮＵは、データを受信するためにＯＮＵで使用された実際の波長を確認するか、または、ＯＬＴに通知することがある。この方法１５００は、その後、終了してもよい。
【００４２】
この方法１５００は、ＯＮＵにより使用された波長を確認するために、ＯＮＵにより使用された波長をＯＬＴに通知するために、ＯＮＵにより使用された波長を変更するために、または波長使用情報を訂正もしくは同期させるために使用されることがある。他の実施形態では、ブロック１５１０または１５２０は、アップストリームまたはダウンストリーム方向に波長情報を伝達するためにもう一方のブロックを実施することなく、別々に、かつ、独立に実施されることがある。方法１５００は、ＯＮＵの受信機で使用された波長の観点で記載されている。しかし、類似した方法がＯＮＵの送信機で、または、ＯＮＵの受信機と送信機の両方で使用された波長のため使用されることがある。
【００４３】
図１６は、ＯＮＵとＯＬＴとの間で波長情報を交換するために多波長ＰＯＮシステムで実施されることがある波長識別／フィードバック方法１６００の別の実施形態を示す。この方法１６００は、ダウンストリーム波長識別が受信されることがあるブロック１６１０から始まる。ＯＮＵは、たとえば、ＰＯＮプロトコルに基づいて、前述のダウンストリーム波長識別のためのアプローチおよび適切な対応するメッセージのうちのいずれかを使用して、ＯＬＴからダウンストリーム波長識別を受信することがある。識別された波長は、データをＯＮＵに送信するためにＯＬＴにより使用された波長でもよい。ブロック１６２０で、アップストリーム波長フィードバックが送信されることがある。ＯＮＵは、たとえば、同じＰＯＮプロトコルに基づいて、ダウンストリーム波長識別を送信するため使用されたものに対応するアプローチ、チャネル、またはメッセージを使用してアップストリーム波長フィードバックをＯＬＴに送信することがある。したがって、ＯＮＵは、データを受信するためにＯＮＵで使用された実際の波長を確認するか、または、ＯＬＴに通知することがある。
方法１６００は、その後、終了してもよい。
【００４４】
この方法１６００は、ＯＮＵにより使用された波長を確認するために、ＯＮＵにより使用された波長をＯＬＴに通知するために、ＯＮＵにより使用された波長を変更するために、または波長使用情報を訂正もしくは同期させるために使用されることがある。他の実施形態では、ブロック１６１０または１６２０は、アップストリームまたはダウンストリーム方向に波長情報を伝達するために他方のブロックを実施することなく、別々に、かつ、独立に実施されることがある。方法１６００は、ＯＮＵの受信機で、ＯＮＵの送信機で、または、両方で使用された波長を識別／承認するため使用されることがある。
【００４５】
図１７は、波長識別／フィードバック方法１５００または１６００をサポートまたは実施するように構成されることがある装置１７００の一実施形態を示す。この装置１７００は、方法１５００または１６００を実施するように構成されることがある処理ユニット１７１０、送信ユニット（または送信機）１７２０、および受信ユニット（または受信機）１７３０を備えることがある。たとえば、この装置１７００は、ＯＬＴに位置していることがあり、方法１５００を実施することがある。代替的に、この装置１７００は、ＯＮＵに位置していることがあり、方法１６００を実施するように構成されることがある。処理ユニット１７１０、送信ユニット１７２０、および受信ユニット１７３０は、ハードウェア、ファームウェア、および／または、ハードウェアを動かすためにインストールされたソフトウェアに対応することがある。処理ユニット１７１０は、たとえば、埋め込みチャネル、制御メッセージチャネル、またはデータチャネルに対応するＭＡＣ層ベースのフレームまたはメッセージ内でダウンストリーム波長識別またはアップストリーム波長フィードバックのための波長ＩＤ（または値）を設けるために、または、得るように構成されることがある。処理ユニット１７１０は、波長識別／フィードバックを備えるＭＡＣ層ベースのメッセージまたはフレームを送信ユニット１７２０に送信、または、受信ユニット１７３０から受信することがある。送信ユニットまたは送信機１７２０は、（ＭＡＣ層で）メッセージまたはフレームを送信するように構成されることがあり、受信ユニットまたは受信機１７３０は、メッセージまたはフレームを受信するように構成されることがある。ＯＬＴで、送信ユニット１７２０は、ダウンストリーム波長識別のためのフレームを送信することがあり、受信ユニット１７３０は、アップストリーム波長フィードバックのためのフレームを受信することがある。ＯＮＵで、受信ユニット１７３０は、ダウンストリーム波長識別のためのフレームを受信することがあり、送信ユニット１７２０は、アップストリーム波長フィードバックのためのフレームを送信することがある。
【００４６】
前述のコンポーネント、方法、および機構は、コンピュータ、または、課された必要な仕事負荷を取り扱うために十分な処理能力、メモリリソース、およびネットワークスループット能力を備えたネットワークコンポーネントなどのどんな汎用ネットワークコンポーネント（ＯＬＴまたはＯＮＵにある）で実施されてもよい。図１８は、本明細書に開示されたコンポーネント、方法、および機構の１つ以上の実施形態を実施するため適している典型的な汎用ネットワークコンポーネント１８００を示す。ネットワークコンポーネント１８００は、補助記憶装置１８０４、リード・オンリー・メモリ（ＲＯＭ）１８０６、ランダム・アクセス・メモリ（ＲＡＭ）１８０８を含むメモリ装置、入力／出力（Ｉ／Ｏ）装置１８１０、およびネットワークコネクティビティ装置１８１２と通信しているプロセッサ１８０２（中央処理ユニットまたはＣＰＵと称されることもある）を含むことがある。プロセッサ１８０２は、１台以上のＣＰＵチップとして実装されることがあり、または、１台以上の特定用途向け集積回路（ＡＳＩＣ）の一部でもよい。
【００４７】
補助記憶装置１８０４は、典型的に、１台以上のディスクドライブまたはテープドライブを備え、データの不揮発性記憶のため使用され、また、ＲＡＭ  １８０８が全ての作業データを保持するために十分に大きくない場合、オーバーフロー・データ記憶装置として使用される。補助記憶装置１８０４は、プログラムが実行のため選択されたとき、ＲＡＭ  １８０８に取り込まれるそのようなプログラムを記憶するために使用されることがある。ＲＯＭ  １８０６は、プログラム実行中に読み取られる命令、および、おそらくはデータを記憶するために使用される。ＲＯＭ  １８０６は、典型的に、補助記憶装置１８０４のより大規模なメモリ容量と比較して小規模なメモリ容量を有している不揮発性メモリ装置である。ＲＡＭ  １８０８は、揮発性データを記憶するために、また、おそらくは、命令を記憶するために使用される。ＲＯＭ  １８０６およびＲＡＭ  １８０８へのアクセスは両方共に、典型的に、補助記憶装置１８０４へのアクセスより高速である。
【００４８】
少なくとも１つの実施形態が開示され、当業者によりなされる（複数の）実施形態および／または（複数の）実施形態の特徴の変形、組み合わせ、および／または変更は、本開示の範囲に含まれる。（複数の）実施形態の特徴の組み合わせ、統合、および／または省略によって生じる代替的な複数の実施形態は、同様に本開示の範囲に含まれる。数値範囲または限定が明示されているが、このような明確な範囲または限定は、明示された範囲または限定の範囲に入る同様の大きさの反復的な範囲または限定を包含するように理解されるべきである（たとえば、約１から約１０までとは、２、３、４などを含み、０．１０より大きいとは、０．１１、０．１２、０．１３などを含む）。たとえば、下限Ｒｌおよび上限Ｒｕをもつ数値範囲が開示されるときはいつでも、この範囲に入るどんな数でも具体的に開示されている。詳しくは、範囲に含まれる以下の数：Ｒ＝Ｒｌ＋ｋ＊（Ｒｕ−Ｒｌ）が具体的に開示され、ここで、ｋは、１パーセントの増分で１パーセントから１００パーセントまで変化する変数であり、すなわち、ｋは、１パーセント、２パーセント、３パーセント、４パーセント、７パーセント、・・・、７０パーセント、７１パーセント、７２パーセント、・・・、９７パーセント、９６パーセント、９７パーセント、９８パーセント、９９パーセント、または１００パーセントである。さらに、上記定義のように２つのＲ数により定義された数値範囲が同様に具体的に開示されている。請求項のいずれかの要素に関する用語「所望によっては（ｏｐｔｉｏｎａｌｌｙ）」の使用は、この要素が必須であるか、または、代替的に、この要素が必須ではなく、両方の選択肢が請求項の範囲に含まれることを意味する。〜を備える（ｃｏｍｐｒｉｓｅ）、〜を含む（ｉｎｃｌｕｄｅ）、および、〜を有している（ｈａｖｉｎｇ）などのより広義の用語の使用は、〜からなる（ｃｏｎｓｉｓｔｉｎｇ  ｏｆ）、本質的に〜からなる（ｃｏｎｓｉｓｔｉｎｇ  ｅｓｓｅｎｔｉａｌｌｙ  ｏｆ）、実質的に〜で構成される（ｃｏｍｐｒｉｓｅｄ  ｓｕｂｓｔａｎｔｉａｌｌｙ  ｏｆ）などのより狭義の用語をサポートするように理解されるべきである。その結果、保護の範囲は、上記説明により限定されることなく、請求項により規定され、この範囲は、請求項の主題の全ての均等物を含むものである。１つ１つの請求項は、さらなる開示として本明細書に組み込まれ、請求項群は、本開示の（複数の）実施形態である。本開示における文献の検討は、この参考文献が先行技術、特に、公開日が本願の優先日より後である文献であるとの自認ではない。本開示で引用された全ての特許、特許出願、および刊行物の本開示は、本開示についての補足となる例示的な、手続き的な、または、その他の詳細を提供する程度まで、参照によりここに組み込まれる。
【００４９】
いくつかの実施形態が本開示において提供されているが、開示されたシステムおよび方法は、本開示の趣旨または範囲から逸脱することなく、数多くの他の具体的な形式で具現化されるものであることが理解されるべきである。本例は、限定でなく例示として解釈されるべきであり、意図は本明細書に与えられた詳細に限定されるべきではない。たとえば、様々な要素またはコンポーネントは、別のシステムにおいて組み合わされてもよく、もしくは、統合されてもよく、または、ある種の特徴は、省略されてもよく、もしくは、実施されなくてもよい。
【００５０】
さらに、様々な実施形態において個別または別個のものとして記載、例示された技術、システム、サブシステム、および方法は、本開示の範囲から逸脱することなく、他のシステム、モジュール、技術、または方法と組み合わされてもよく、または、統合されてもよい。互いに連結、直接的に連結、または、通信するものとして表されるか、または、検討された他のものは、電気的、機械的、または、その他の方式にかかわらず、何らかのインターフェース、装置、または、中間コンポーネントを介して、間接的に連結されるか、または、通信することがある。変更、置換、および代替の他の例は、当業者により確かめられ、本明細書に開示された趣旨および範囲から逸脱することなく行われ得るであろう。
【図１】
0005860528.tif 000002
【図２】
0005860528.tif 000003
【図３】
0005860528.tif 000004
【図４】
0005860528.tif 000005
【図７】
0005860528.tif 000006
【図９】
0005860528.tif 000007
【図１０】
0005860528.tif 000008
【図１１】
0005860528.tif 000009
【図１２】
0005860528.tif 000010
【図１４】
0005860528.tif 000011
【図１５】
0005860528.tif 000012
【図１６】
0005860528.tif 000013
【図１７】
0005860528.tif 000014
【図１８】
0005860528.tif 000015
【図５】
0005860528.tif 000016
【図６】
0005860528.tif 000017
【図８】
0005860528.tif 000018
【図１３】
0005860528.tif 000019